(57)【特許請求の範囲】
【請求項１】
少なくとも第１及び第２記録層が積層されてなる情報記録媒体に、複数の記録情報を記録可能な情報記録装置であって、
前記複数の記録情報の各々を書込可能な書込手段と、
前記複数の記録情報の各々について、前記第１記録層から前記第２記録層に跨って書き込むように、前記書込手段を制御する書込制御手段と、
前記複数の記録情報間の前記第１記録層における境界となる記録領域に、第１境界情報を書き込むと共に、前記複数の記録情報間の前記第２記録層における境界となる記録領域として、前記第１記録層の前記第１境界情報が書き込まれた記録領域に重なる前記第２記録層の記録領域に、第２境界情報を書き込む又は確保するように、前記書込手段を制御する境界制御手段と
を備えることを特徴とする情報記録装置。
【請求項２】
前記情報記録媒体は、ディスク状であり、
前記書込制御手段は、前記複数の記録情報の各々について、その前半部を前記第１記録層に前記情報記録媒体の内周側及び外周側のうち一方側から他方側へ向けての記録方向で書き込むと共に該記録方向を折り返してその後半部を前記第２記録層に書き込むように、前記書込手段を制御し、
前記境界制御手段は、
前記複数の記録情報の各々の書き込みに相前後して、前記前半部の前記第１記録層における開始境界を示す第１開始境界情報を前記第１境界情報の一つとして、前記第１記録層における前記開始境界の前記一方側に書き込むと共に、前記後半部の前記第２記録層における終了境界を示す第２終了境界情報を前記第２境界情報の一つとして、前記第１開始境界情報と同一半径位置における前記第２記録層に書き込む又は確保するように、前記書込手段を制御する第１境界制御手段と、
前記複数の記録情報の各々の書き込みに相前後して、前記前半部の前記第１記録層における終了境界を示す第１終了境界情報を前記第１境界情報の他の一つとして、前記第１記録層における前記終了境界の前記他方側に書き込むと共に、前記後半部の前記第２記録層における開始境界を示す第２開始境界情報を前記第２境界情報の他の一つとして、前記第１終了境界情報と同一半径位置における前記第２記録層に書き込む又は確保するように、前記書込手段を制御する第２境界制御手段と
を有することを特徴とする請求の範囲第１項に記載の情報記録装置。
【請求項３】
前記第２境界制御手段は、前記第１終了境界情報の少なくとも一部として、前記書込手段による書込位置が前記第１記録層における終了境界から前記第１終了境界情報を介して前記他方側に外れることを停止させるための緩衝用データ又は飛越禁止フラグを書き込むように、前記書込手段を制御することを特徴とする請求の範囲第２項に記載の情報記録装置。
【請求項４】
前記第２境界制御手段は、前記第２開始境界情報の少なくとも一部として、前記書込手段による書込位置が前記第２記録層における開始境界から前記第２開始境界情報を介して前記他方側に外れることを停止させるための緩衝用データ又は飛越禁止フラグを書き込むように、前記書込手段を制御することを特徴とする請求の範囲第２項に記載の情報記録装置。
【請求項５】
前記第１境界制御手段は、前記第２終了境界情報を、前記第１開始境界情報のコピーとして書き込むように、前記書込手段を制御することを特徴とする請求の範囲第２項に記載の情報記録装置。
【請求項６】
前記第２境界制御手段は、前記第２開始境界情報を、前記第１終了境界情報のコピーとして書き込むように前記書込手段を制御することを特徴とする請求の範囲第２項に記載の情報記録装置。
【請求項７】
前記第１境界制御手段は、前記複数の記録情報の各々の書き込み後に、前記第１開始境界情報を書き込み、続いて前記第２終了境界情報を書き込む又は確保するように、前記書込手段を制御し、
前記第２境界制御手段は、続いて前記第１終了境界情報を書き込み、続いて、前記第２開始境界情報を書き込む又は確保するように、前記書込手段を制御することを特徴とする請求の範囲第２項に記載の情報記録装置。
【請求項８】
前記第１境界制御手段は、前記複数の記録情報のうち最初の記録情報については、前記第１開始境界情報を前記第１記録層における前記開始境界の前記一方側として、前記第１記録層に設けられたリードインエリア内に書き込むと共に前記第２終了境界情報を前記第２記録層に設けられたリードアウトエリア内に書き込む又は確保するように、前記書込手段を制御することを特徴とする請求の範囲第２項に記載の情報記録装置。
【請求項９】
前記境界制御手段は、前記第２境界情報を、予備情報領域として確保するように、前記書込手段を制御することを特徴とする請求の範囲第１項に記載の情報記録装置。
【請求項１０】
前記書込制御手段は、前記複数の記録情報の各々について、前記第２境界情報寄りの一部又は全部を、ダミーデータとして前記第２記録層に書き込むように、前記書込手段を制御することを特徴とする請求の範囲第１項に記載の情報記録装置。
【請求項１１】
前記書込制御手段は、前記複数の記録情報の各々について、前記第１境界情報寄りの一部を、ダミーデータとして前記第１記録層に書き込むように、且つ全部をダミーデータとして前記第２記録層に書き込むように、前記書込手段を制御することを特徴とする請求の範囲第１項に記載の情報記録装置。
【請求項１２】
少なくとも第１及び第２記録層が積層されてなる情報記録媒体に、書込手段によって複数の記録情報を記録可能な情報記録装置における情報記録方法であって、
前記複数の記録情報の各々について、前記第１記録層から前記第２記録層に跨って書き込むように、前記書込手段を制御する書込制御工程と、
前記複数の記録情報間の前記第１記録層における境界となる記録領域に、第１境界情報を書き込むと共に、前記複数の記録情報間の前記第２記録層における境界となる記録領域として、前記第１記録層の前記第１境界情報が書き込まれた記録領域に重なる前記第２記録層の記録領域に、第２境界情報を書き込む又は確保するように、前記書込手段を制御する境界制御工程と
を備えることを特徴とする情報記録方法。
【請求項１３】
請求の範囲第１項に記載の情報記録装置に備えられたコンピュータを制御する記録制御用のコンピュータプログラムであって、該コンピュータを、前記書込制御手段及び前記境界制御手段として機能させることを特徴とする記録制御用のコンピュータプログラム。
【発明の詳細な説明】
【技術分野】
【０００１】
本発明は、例えばＤＶＤレコーダ等の情報記録装置及び方法、並びにコンピュータプログラムの技術分野に関する。
【背景技術】
【０００２】
例えばＤＶＤ−Ｒ／ＲＷ等の単層型の光ディスクにおいては、ユーザデータエリアにおける記録済みの情報の後に、ボーダーゾーンが記録される。これにより、プレーヤやＲＯＭドライブ等の情報再生装置或いは再生専用機器（以下適宜単に「プレーヤ等」という）と、レコーダやＲＡＭドライブ等の情報記録装置或いは情報記録再生装置（以下適宜単に「レコーダ等」という）との間における互換性を保っている。ここに、「ボーダーゾーン」とは、ＤＶＤ−ＲＯＭ等におけるリードアウトエリアと同様に、ユーザデータエリアにおける記録済みの情報、或いは該情報が記録された領域の直後に、未記録エリアが隣接するのを防ぐための緩衝用エリアである。より詳細には、ボーダーゾーンは、ＣＤ−Ｒにおけるマルチセッションのような追記方法をＤＶＤ−Ｒでも行えるように用意されている構造である。尚、ボーダーゾーンを記録する処理を、一般に「ボーダークローズ（処理）」という。ボーダーゾーンを記録して、ユーザデータエリアにおける記録済みの情報に隣接する未記録エリアをＤＶＤ−Ｒ等において無くすことで、トラッキング方式としてプッシュプル法が採用されているＤＶＤ−Ｒドライブに対して、位相差法が採用されているＤＶＤ−ＲＯＭ再生専用ドライブの光ピックアップによる、トラッキングサーボの正常な制御が可能となる。このように、ボーダーゾーンの存在によって、プレーヤ等における光ピックアップが、記録済みのユーザデータエリアからその外周側に広がる未記録エリアへ飛び出してしまう事態を防ぐことが可能となる。【０００３】
他方で、例えばＣＤ、ＤＶＤ等の情報記録媒体では、特許文献１、２等に記載されているように、同一基板上に複数の記録層が積層、または貼り合わされてなる多層型或いは２層型（即ちデュアルレイヤ型）の光ディスクも開発されている。そして、このような多層型の光ディスクに記録を行う、レコーダ等では、レーザ光の照射側から見て最も手前側に位置する記録層（本願では適宜「Ｌ０層」と称する）に対して記録用のレーザ光を集光することで、Ｌ０層に対して情報を加熱などによる非可逆変化記録方式や書換え可能方式で記録し、Ｌ０層等を介して、レーザ光の照射側から見てＬ０層の奥側に位置する記録層（本願では適宜「Ｌ１層」と称する）に対して該レーザ光を集光することで、Ｌ１層に対して情報を加熱などによる非可逆変化記録方式や書換え可能方式で記録することになる。【０００４】
特に、これらＬ０層及びＬ１層に対して“オポジット方式”等によって記録又は再生を行う技術も開示されている。ここに、“オポジット方式”とは、例えば二つの記録層の間でトラックパスの方向が逆向きである記録又は再生方式である。このようなオポジット方式の２層型の光ディスクにおいては、特許文献３に記載されているように、Ｌ０層及びＬ１層のディスク外周部に緩衝用エリアとしてミドルエリアを記録する必要がある。この「ミドルエリア」は、単層型の光ディスクにおけるリードアウトや前述のボーダーゾーンと同様の役割を果たすもので、情報が記録されたユーザデータエリアの直後に未記録エリアが隣接するのを防ぐための緩衝用エリアである。【０００５】
【特許文献１】特開２０００−３１１３４６号公報
【特許文献２】特開２００１−２３２３７号公報
【特許文献３】特表２０００−５０３４４６号公報
【特許文献４】特開２００２−１３３６６７号公報
【特許文献５】特開２００３−５９０５９号公報
【特許文献６】特開平９−１６９６６号公報
【特許文献７】特開２００１−２３２３７号公報
【発明の開示】
【発明が解決しようとする課題】
【０００６】
しかしながら、単層型の光ディスクで採用されているボーダーゾーンに係る構成を、オポジット方式における多層型の光ディスクに適用する場合を考えると、次の如き問題が生じる。【０００７】
即ち先ず、レコーダ等によりユーザデータエリアに一連の書き込み動作に対応して夫々書き込まれる複数の情報の各々は、追記処理の性質上、相互に別の機会に書き込まれる場合が多い。しかるに、Ｌ１層に未記録エリアが残っている限り、プレーヤ等で、該未記録エリアと同一半径位置に広がるＬ０層における記録済みのユーザデータエリアに記録された情報を読み取ることはできない。即ち、この場合、レコーダ等とプレーヤ等との間での互換性がとれない。ボーダーゾーンを設ける本来の理由がプレーヤ等でも再生可能とすることであるにも拘わらず、Ｌ１層に未記録エリアが残っている限り、プレーヤ等で再生できないという事態になってしまう。【０００８】
逆に、最後のボーダーゾーンに後続するＬ１層の未記録エリアに、ダミーデータ等を書き込んで、所謂「ファイナライズ処理」或いはこれに類似した処理を行えば、プレーヤ等では、該未記録エリアと同一半径位置に広がるＬ０層における記録済みエリアから、情報を読み取ることは可能となる。しかしながら、このように一旦ファイナライズ処理等を行ってしまうと、最後のボーダーゾーンに後続するユーザデータエリアに対して、情報を書き込むことは、もはや出来なくなってしまう。即ち、別機会に情報を追記できること及びこれによりユーザデータエリアを無駄にしないことという、追記処理における最大の利点が失われてしまう。更に、仮にユーザデータエリアの無駄使いを許容したとしても、ファイナライズ処理に多大な時間を要してしまう。【０００９】
このように従来の技術を組み合わせても、多層型の光ディスクをオポジット方式で記録する場合には、プレーヤ等との互換性を実現するためには追記処理が不能となり、逆に追記処理を実現するためにはプレーヤ等との間で互換性がとれないという技術的問題点がある。【００１０】
そこで本発明は、例えば上記問題点に鑑みなされたものであり、例えば多層型の情報記録媒体における各記録層において、プレーヤ等との間で互換性をとりつつ記録領域を無駄にすることなく記録可能である、レコーダ等の情報記録装置及び方法、並びにコンピュータプログラムを提供することを課題とする。
【課題を解決するための手段】
【００１１】
（情報記録装置）
以下、本発明に係る情報記録装置について説明する。【００１２】
本発明に係る情報記録装置は上記課題を解決するために、少なくとも第１及び第２記録層が積層されてなる情報記録媒体に、複数の記録情報を記録可能な情報記録装置であって、前記複数の記録情報の各々を書込可能な書込手段と、前記複数の記録情報の各々について、前記第１記録層から前記第２記録層に跨って書き込むように、前記書込手段を制御する書込制御手段と、前記複数の記録情報間の前記第１記録層における境界となる記録領域に、第１境界情報（例えば後述のＢＩ、ＢＯ）を書き込むと共に、前記複数の記録情報間の前記第２記録層における境界となる記録領域として、前記第１記録層の前記第１境界情報が書き込まれた記録領域に重なる前記第２記録層の記録領域に、第２境界情報（例えば後述のＳＢＯ、ＳＢＩ）を書き込む又は確保するように、前記書込手段を制御する境界制御手段とを備える。【００１３】
本発明に係る情報記録装置によれば、情報記録媒体は、例えばＬ０層である第１記録層と、例えばＬ１層である第２記録層とが積層されてなる、例えば２層型又は多層型の追記可能な光ディスク等である。情報記録装置は、このような情報記録媒体に対して追記等の形式で記録可能な、例えばＤＶＤレコーダ等である。情報記録装置は、典型的には、一連の記録動作に対応して夫々記録される複数の記録情報を、相互に別又は同一の機会に記録可能である。例えば一つの情報記録装置に一つの情報記録媒体がローディングされたまま主電源のオンオフを経ての別機会に、或いは複数の情報記録装置間で一つの情報記録媒体がローディングとアンローディングと更なるローディングを経ての別機会に、一つのまとまったコンテンツやファイルを記録情報として夫々記録するなど、一つの情報記録媒体に対して別機会に記録可能である。また、例えば一つの情報記録装置に一つの情報記録媒体がローディングされ且つ主電源がオンされたままの同一機会に、複数のコンテンツや複数のファイルを連続して記録するなど、同一機会にも記録可能である。【００１４】
その記録時には、例えばコントローラ、ＣＰＵ等から構成される書込制御手段による制御下で、光ピックアップ等の書込手段により、一つの記録情報は、第１記録層から前記第２記録層に跨って書き込まれる。例えば、一つの記録情報の前半部が第１記録層の一例たるＬ０層に書き込まれ、層間ジャンプを経て、該一つの記録情報の後半部が第２記録層の一例たるＬ１層に書き込まれる。係る記録情報の書き込みは、例えばユーザデータエリアに対して行われる。【００１５】
このような記録情報の書き込みに相前後して、例えば書込制御手段と共通又は別のコントローラ、ＣＰＵ等から構成される境界制御手段による制御下で、書込手段により、複数の記録情報間の第１記録層における境界となる記録領域に、例えば後述のＢＩ（ボーダーイン）、ＢＯ（ボーダーアウト）等である第１境界情報が書き込まれる。係る第１境界情報の書き込みは、境界が確実に判明する上述の記録情報の書き込み後に行うのが良いが、記録すべき記録情報の情報量から予め逆算して境界の位置が予測できれば、上述の記録情報の書き込み前に行なっても構わない。【００１６】
更に、このような第１境界情報の書き込みに相前後して、境界制御手段による制御下で、書込手段により、複数の記録情報間の第２記録層における境界となる記録領域として、第１記録層の第１境界情報が書き込まれた記録領域に重なる第２記録層の記録領域に、例えば後述のＳＢＯ（スーパフィシャルボーダーアウト）、ＳＢＯ（スーパフィシャルボーダーイン）等である第２境界情報が書き込まれるか又は確保される。ここに「記録領域に重なる」とは、例えばディスク状の情報記録媒体における同一半径位置或いは同一半径領域であり、情報記録媒体における第１及び第２記録層の積層方向から平面的に見て重なる領域を意味する。完全に重なっていることが好ましいが、少なくとも部分的に重なっていれば以下に説明する如き効果が相応に得られる。また、ここに「重なる」又は「同一半径位置或いは同一半径領域」とは、当該情報記録装置による記録動作或いはレコーダ等、プレーヤ等で再生動作を行う上で、その装置仕様や装置性能からして「重なる」又は「同一半径位置或いは同一半径領域」と同一視できれば足りる趣旨であり、完全に「重なる」又は「同一半径位置或いは同一半径領域」である場合の他、実質的に「重なる」又は「同一半径位置或いは同一半径領域」である場合も含む。係る第２境界情報の書き込みは、第１境界情報の書き込みに続いて行うのが良いが、第１境界情報の書き込みに先行して行っても構わない。また「第２境界情報を確保する」とは、書込手段により特段に第２境界情報を書き込む動作を行わずとも、情報記録媒体の当初又は従前からの記録状態を第２境界情報の記録状態として扱うことも可能であるため、第２境界情報は、第２記録層において記録情報とは別情報として概念的に存在すれば、或いは特定の記録領域が記録情報用ではなく第２境界情報用に割り当てられれば、足りるとの趣旨である。即ち、第２境界情報として予め定められた記録状態にある記録領域が確保されていれば、足りるとの趣旨である。【００１７】
以上のように、第１記録層に記録される第１境界情報と第２記録層に記録される第２境界情報とは、相互に重なる記録領域において夫々、一対をなす境界情報として記録される。従って、相互に別の機会に追記処理が行われる場合において、それらの追記処理間に、プレーヤ等で、第１及び第２記録層の一方が、記録情報について記録済みの領域となり且つこれに重なる領域で、第１及び第２記録層の他方が未記録の領域となることで、記録情報が再生不能となる事態を避けることができる。特に、第１及び第２記録層の一方が、第１境界情報について記録済みの領域となり且つこれに重なる領域で、第１及び第２記録層の他方が未記録の領域となることで、例えば「ボーダーゾーン」である境界或いは境界情報の機能が低下又は消滅してしまう事態を効果的に避けることが出来る。【００１８】
よって、別の機会に行われる追記処理間であっても、例えばユーザデータエリアである記録領域に記録済みの一の記録情報を、その境界間で確実に読み取ることができ、レコーダ等とプレーヤ等との間での互換性がとれることになる。更に、このようなレコーダ等とプレーヤ等との間における互換性を実現するために、例えば未記録領域にダミーデータ等を書き込んで、所謂「ファイナライズ処理」或いはこれに類似した処理を行わなくて済む。よって、一旦ファイナライズ処理等を行う場合のように、その後に記録情報を記録できなくなることはない。即ち、プレーヤ等による再生の機会を経て、その後における別の機会に、記録情報を追記できるので大変便利であり、この際、ユーザデータエリア等の記録領域を無駄にしないで済む。加えて、ファイナライズ処理のように多大な処理時間を要することもない。【００１９】
以上の結果、本発明によれば、プレーヤ等との間で互換性をとりつつ記録領域を無駄にすることなく記録可能となる。しかも、プレーヤ等との間で互換性をとるように記録を行うために必要な処理時間も短時間で済む。【００２０】
情報記録装置の一態様では、前記情報記録媒体は、ディスク状であり、前記書込制御手段は、前記複数の記録情報の各々について、その前半部を前記第１記録層に前記情報記録媒体の内周側及び外周側のうち一方側から他方側へ向けての記録方向で書き込むと共に該記録方向を折り返してその後半部を前記第２記録層に書き込むように、前記書込手段を制御し、前記境界制御手段は、前記複数の記録情報の各々の書き込みに相前後して、前記前半部の前記第１記録層における開始境界を示す第１開始境界情報（例えば後述のＢＩ）を前記第１境界情報の一つとして、前記第１記録層における前記開始境界の前記一方側に書き込むと共に、前記後半部の前記第２記録層における終了境界を示す第２終了境界情報（例えば後述のＳＢＯ）を前記第２境界情報の一つとして、前記第１開始境界情報と同一半径位置における前記第２記録層に書き込む又は確保するように、前記書込手段を制御する第１境界制御手段と、前記複数の記録情報の各々の書き込みに相前後して、前記前半部の前記第１記録層における終了境界を示す第１終了境界情報（例えば後述のＢＯ）を前記第１境界情報の他の一つとして、前記第１記録層における前記終了境界の前記他方側に書き込むと共に、前記後半部の前記第２記録層における開始境界を示す第２開始境界情報（例えば後述のＳＢＩ）を前記第２境界情報の他の一つとして、前記第１終了境界情報と同一半径位置における前記第２記録層に書き込む又は確保するように、前記書込手段を制御する第２境界制御手段とを有する。【００２１】
この態様によれば、書込制御手段による制御下で、書込手段によって、例えば境界或いはボーダーゾーンで区切られた後述の“ボーダードエリア”である記録領域単位でのオポジット方式（以下適宜単に“ゾーン内オポジット方式”という）による追記処理が、複数の記録情報の各々について行われる。【００２２】
ここで特に、第１境界制御手段による制御下で、記録情報の前半部の第１記録層における開始境界を示す、例えば後述のＢＩである第１開始境界情報が、第１記録層における開始境界の一方側（例えば内周側）に書き込まれる。これと相前後して、記録情報の後半部の第２記録層における終了境界を示す、例えば後述のＳＢＯである第２終了境界情報が、第１開始境界情報と同一半径位置における第２記録層に書き込まれるか又は確保される。【００２３】
更に、第２境界制御手段による制御下で、記録情報の前半部の第１記録層における終了境界を示す、例えば後述のＢＯである第１終了境界情報が、第１記録層における終了境界の他方側（例えば外周側）に書き込まれる。これと相前後して、記録情報の後半部の第２記録層における開始境界を示す、例えば後述のＳＢＩである第２開始境界情報が、第１終了境界情報と同一半径位置における第２記録層に書き込まれるか又は確保される。【００２４】
尚、記録情報の「前半部」及び「後半部」とは、記録情報の中間位置或いは真中を基準にして厳密に前半及び後半という意味ではなく、相互に大きさが一致する又は異なるように二分割した場合における、前半寄りの部分及び後半寄りの部分という意味である。第１記録層に記録される部分が前半部となり、第２記録層に記録される部分が後半部となる。【００２５】
以上の結果、この態様によれば、例えば「ボーダーゾーン」として、主にデータが何処から何処まで書き込まれているかのデータ構造を示す「ボーダーイン（ＢＩ）」である、第１開始境界情報と、主に半径方向の長さが約０．５mm以上である緩衝用データ或いは飛び越し禁止フラグが記録されたり、次の境界の位置等を示す「ボーダーアウト（ＢＯ）」である、第１終了境界情報とが、第１記録層に書き込まれる。更に、第１開始境界情報と一対をなす「スーパフィシャルボーダーアウト（ＳＢＯ）」である、第２終了境界情報と、第１終了境界情報と一対をなす「スーパフィシャルボーダーイン（ＳＢＩ）」である、第２開始境界情報とが、第２記録層に書き込まれる。従って、ボーダーゾーンを書き込むレコーダ等のみならず、プレーヤ等においても、ボーダーゾーンに隣接する記録済み領域からの記録情報の再生を行うことができる。より具体的には、第１及び第２記録層の各々について、記録済みの記録情報に隣接する未記録領域を無くすことで、プレーヤ等における光ピックアップが、記録済みの領域からその外周側に広がる未記録領域へ飛び出してしまう事態を、第１及び第２記録層の各々について防ぐことが可能となる。よって、２層型或いは多層型の情報記録媒体について、プレーヤ等との間で互換性をとりつつ記録領域を無駄にすることなく記録可能となる。【００２６】
以上の結果、プレーヤ等との間で互換性をとりつつ記録領域を無駄にすることなく記録可能となり、特に“ゾーン内オポジット方式”による追記処理を行うことで、本発明に独自の互換性及び効率的記録に係る効果は、より一層顕在化される。【００２７】
この第１及び第２境界制御手段を備えた態様では、前記第２境界制御手段は、前記第１終了境界情報の少なくとも一部として、前記書込手段による書込位置が前記第１記録層における終了境界から前記第１終了境界情報を介して前記他方側に外れることを停止させるための緩衝用データ又は飛越禁止フラグを書き込むように、前記書込手段を制御するように構成してもよい。【００２８】
このように構成すれば、プレーヤ等又はレコーダ等による再生時や記録時に、第１終了境界情報の少なくとも一部としての、緩衝用データ又は飛越禁止フラグによって、例えば光ピックアップである書込手段による書込位置が、第１記録層における終了境界から、例えば外周側である他方側に外れることを停止させることができる。【００２９】
この第１及び第２境界制御手段を備えた態様では、前記第２境界制御手段は、前記第２開始境界情報の少なくとも一部として、前記書込手段による書込位置が前記第２記録層における開始境界から前記第２開始境界情報を介して前記他方側に外れることを停止させるための緩衝用データ又は飛越禁止フラグを書き込むように、前記書込手段を制御するように構成してもよい。【００３０】
このように構成すれば、プレーヤ等又はレコーダ等による再生時や記録時に、第２開始境界情報の少なくとも一部としての、緩衝用データ又は飛越禁止フラグによって、例えば光ピックアップである書込手段による書込位置が、第２記録層における開始境界から、例えば外周側である他方側に外れることを停止させることができる。【００３１】
この第１及び第２境界制御手段を備えた態様では、前記第１境界制御手段は、前記第２終了境界情報を、前記第１開始境界情報のコピーとして書き込むように、前記書込手段を制御するように構成してもよい。【００３２】
このように構成すれば、プレーヤ等又はレコーダ等による再生時や記録時に、第１記録層において第１開始境界情報を参照するのに代えて、第２記録層において第２終了境界情報を参照すれば、第１開始境界情報と同一の情報を、そのコピーとして取得できる。よって、書込位置や読取位置が第２記録層にある際に、例えば、主にデータが何処から何処まで書き込まれているかのデータ構造を示す「ボーダーイン（ＢＩ）」などの、第１開始境界情報を取得するために、層間ジャンプ等の処理を省くことも可能となり、迅速な書込動作や読取動作が可能となる。【００３３】
この第１及び第２境界制御手段を備えた態様では、前記第２境界制御手段は、前記第２開始境界情報を、前記第１終了境界情報のコピーとして書き込むように前記書込手段を制御するように構成してもよい。【００３４】
このように構成すれば、プレーヤ等又はレコーダ等による再生時や記録時に、第１記録層において第１終了境界情報を参照するのに代えて、第２記録層において第２開始境界情報を参照すれば、第１終了境界情報と同一の情報を、そのコピーとして取得できる。よって、書込位置や読取位置が第２記録層にある際に、例えば、次の境界の位置等を示す「ボーダーアウト（ＢＯ）」などの、第１終了境界情報を取得するために、層間ジャンプ等の処理を省くことも可能となり、迅速な書込動作や読取動作が可能となる。【００３５】
この第１及び第２境界制御手段を備えた態様では、前記第１境界制御手段は、前記複数の記録情報の各々の書き込み後に、前記第１開始境界情報を書き込み、続いて前記第２終了境界情報を書き込む又は確保するように、前記書込手段を制御し、
前記第２境界制御手段は、続いて前記第１終了境界情報を書き込み、続いて、前記第２開始境界情報を書き込む又は確保するように、前記書込手段を制御するように構成してもよい。【００３６】
このように構成すれば、例えば追記処理で一の記録情報を記録する際に、第１記録層への記録情報の記録、第２記録層への記録情報の記録、第１記録層への第１開始境界情報（例えばＢＩ）の記録、第２記録層への第２終了境界情報（例えばＳＢＯ）の記録、第１記録層への第１終了境界情報（例えばＢＯ）の記録、及び第２記録層への第２開始境界情報（例えばＳＢＩ）の記録を、書込手段による一連の書込動作で、効率的に行うことが可能となる。特に“ゾーン内オポジット方式”による追記処理を行うことで、この構成による独自の互換性及び効率的記録に係る効果は、より一層顕在化される。【００３７】
この第１及び第２境界制御手段を備えた態様では、前記第１境界制御手段は、前記複数の記録情報のうち最初の記録情報については、前記第１開始境界情報を前記第１記録層における前記開始境界の前記一方側として、前記第１記録層に設けられたリードインエリア内に書き込むと共に前記第２終了境界情報を前記第２記録層に設けられたリードアウトエリア内に書き込む又は確保するように、前記書込手段を制御するように構成してもよい。【００３８】
このように構成すれば、最初の記録情報に係る第１開始境界情報（例えばＢＩ）は、リードインエリア内に書き込み且つ最初の記録情報に係る第２終了境界情報（例えばＳＢＯ）は、リードアウトエリア内に書き込むので、２層型或いは多層型の情報記録媒体について、プレーヤ等との間で互換性をとりつつ、その記録領域を無駄なく利用することが可能となる。【００３９】
情報記録装置の他の態様では、前記境界制御手段は、前記第２境界情報を、予備情報領域として確保するように、前記書込手段を制御する。【００４０】
この態様によれば、書込手段により特段に第２境界情報を書き込む動作を行わずとも、情報記録媒体の当初又は従前からの記録状態を第２境界情報の記録状態として扱うことが可能となる。即ち、第２境界情報は、第２記録層において記録情報とは別情報として概念的に存在することになる。そして、予備情報領域に、他の各種制御情報等を記録することも別途可能となり、この予備情報領域を有効活用することで高機能化を図れる。【００４１】
情報記録装置の他の態様では、前記書込制御手段は、前記複数の記録情報の各々について、前記第２境界情報寄りの一部又は全部を、ダミーデータとして前記第２記録層に書き込むように、前記書込手段を制御する。【００４２】
この態様によれば、書込制御手段による制御下で、書込手段によって、第２境界情報寄りの一部又は全部に、ダミーデータとしての記録情報が、第２記録層に書き込まれる。よって、相互に別の機会に追記処理が行われる場合において、それらの追記処理間に、プレーヤ等で、第１記録層が、記録情報について記録済みの領域となり且つこれに重なる領域で、第２記録層が未記録の領域となることを確実に防止でき、これにより記録情報が再生不能となる事態を避けることができる。他方で、記録情報の各々の単位で、このようにダミーデータで第２記録層における未記録領域を埋めるだけでよいので、前述したファイナライズ処理の如く、情報記録媒体の単位で、ダミーデータで未記録領域を埋める場合と比較して、迅速に処理を実施することが可能である。しかも、このようにダミーデータで埋めた後にも、上述の如く次の記録情報を追記することは勿論可能であり、その後の追記が不可能となるファイナライズ処理と比べて各段に有利である。【００４３】
尚、第１及び第２記録層への記録情報の割当を半々にすれば、基本的にこのようなダミーデータで埋める処理は不要である。例えば、記録すべき記録情報の情報量から予め逆算して境界の位置が予測できれば、ダミーデータで埋めるべき第２記録層における記録領域は殆ど又は全く無くて済む。しかるに実践上は、例えば、スポーツ観戦における予約録画時間に対する試合延長に伴う録画時間の延長に代表されるように、記録すべき記録情報の情報量の記録開始後における増大は、あり得る。よって、本態様の如くダミーデータで埋める態様は、例えば記録終了コマンドに応じて記録を終了させるような用途において、実践上大変有利である。【００４４】
情報記録装置の他の態様では、前記書込制御手段は、前記複数の記録情報の各々について、前記第１境界情報寄りの一部を、ダミーデータとして前記第１記録層に書き込むように、且つ全部をダミーデータとして前記第２記録層に書き込むように、前記書込手段を制御する。【００４５】
この態様によれば、書込制御手段による制御下で、書込手段によって、第１境界情報寄りの一部に、ダミーデータとしての記録情報が、第１記録層に書き込まれる。更に、ダミーデータとしての記録情報が、第２記録層の全部に書き込まれる。よって、相互に別の機会に追記処理が行われる場合において、それらの追記処理間に、プレーヤ等で、第１記録層が、記録情報について記録済みの領域となり且つこれに重なる領域で、第２記録層が未記録の領域となることを確実に防止でき、これにより記録情報が再生不能となる事態を避けることができる。他方で、記録情報の各々の単位で、このようにダミーデータで第２記録層における未記録領域を埋めるだけでよいので、前述したファイナライズ処理の如く、情報記録媒体の単位で、ダミーデータで未記録領域を埋める場合と比較して、迅速に処理を実施することが可能である。この際特に、ダミーデータで埋める、言わば無駄にする記録領域については、記録情報の各々の単位内に止まるので、比較的小規模で済む。しかも、このようにダミーデータで埋めた後にも、上述の如く次の記録情報を追記することは勿論可能であり、その後の追記が不可能となるファイナライズ処理と比べて各段に有利である。【００４６】
（情報記録方法）
以下、本発明に係る情報記録方法について説明する。【００４７】
本発明に係る情報記録方法は上記課題を解決するために、少なくとも第１及び第２記録層が積層されてなる情報記録媒体に、書込手段によって複数の記録情報を記録可能な情報記録装置における情報記録方法であって、前記複数の記録情報の各々について、前記第１記録層から前記第２記録層に跨って書き込むように、前記書込手段を制御する書込制御工程と、前記複数の記録情報間の前記第１記録層における境界となる記録領域に、第１境界情報を書き込むと共に、前記複数の記録情報間の前記第２記録層における境界となる記録領域として、前記第１記録層の前記第１境界情報が書き込まれた記録領域に重なる前記第２記録層の記録領域に、第２境界情報を書き込む又は確保するように、前記書込手段を制御する境界制御工程とを備える。【００４８】
本発明に係る情報記録方法によれば、上述した本発明に係る情報記録装置の場合と同様に、プレーヤ等との間で互換性をとりつつ記録領域を無駄にすることなく記録可能となる。しかも、プレーヤ等との間で互換性をとるように記録を行うために必要な処理時間も短時間で済む。【００４９】
尚、上述した本発明の情報記録装置における各種態様に対応して、本発明の情報記録方法も各種態様を採ることが可能である。【００５０】
（コンピュータプログラム）
以下、本発明に係るコンピュータプログラムについて説明する。【００５１】
本発明に係るコンピュータプログラムは上記課題を解決するために、上述した本発明に係る情報記録装置（但し、その各種態様を含む）に備えられたコンピュータを制御する記録制御用のコンピュータプログラムであって、該コンピュータを、前記書込制御手段及び前記境界制御手段として機能させる。【００５２】
本発明のコンピュータプログラムによれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、例えば、通信手段等を介してコンピュータにダウンロードさせた後に実行させれば、上述した本発明の情報記録装置を比較的簡単に実現できる。【００５３】
尚、上述した本発明の情報記録装置における各種態様に対応して、本発明のコンピュータプログラムも各種態様を採ることが可能である。【００５４】
コンピュータ読取可能な媒体内のコンピュータプログラム製品は上記課題を解決するために、上述した情報記録装置（但し、その各種形態も含む）に備えられたコンピュータにより実行可能なプログラム命令を明白に具現化し、該コンピュータを、前記書込制御手段及び前記境界制御手段として機能させる。【００５５】
本発明のコンピュータプログラム製品によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の情報記録装置を比較的容易に実施可能となる。更に具体的には、当該コンピュータプログラム製品は、上述した本発明の情報記録装置として機能させるコンピュータ読取可能なコード（或いはコンピュータ読取可能な命令）から構成されてよい。【００５６】
本発明のこのような作用及び他の利得は次に説明する実施例から明らかにされる。【００５７】
以上説明したように、本発明の情報記録装置及び方法によれば、書込手段、書込制御手段及び工程、並びに境界制御手段及び工程を備えているので、プレーヤ等との間で互換性をとりつつ記録領域を無駄にすることなく記録可能となる。
【図面の簡単な説明】
【００５８】
【図１】本発明の情報記録媒体の実施例に係る複数の記録領域を有する光ディスクの基本構造を示した概略平面図（図１（ａ））、及びその概略断面図とこれに対応付けられたその半径方向における記録領域構造の図式的概念図（図１（ｂ））である。
【図２】実施例に係るボーダーゾーン構造を適用した場合における、光ディスクの記録構造を示す図式的概念図である。
【図３】実施例に係るボーダーゾーン構造を適用した場合における、光ディスクの書き込み手順の一例を示す図式的概念図である。
【図４】実施例に係る光ディスクのＬ０層における、一つのボーダーゾーン（即ち、ＢＯ及びＢＩ）の詳細なデータ構造を示したデータ構造図である。
【図５】実施例に係る光ディスクのＬ１層における、一つのスーパフィシャルボーダーゾーン（即ち、ＳＢＩ及びＳＢＯ）の詳細なデータ構造を示したデータ構造図である。
【図６】実施例に係るＢＯとＳＢＩとが重ねられた様子を示す概念的な断面図（図６（ａ））及びＢＩとＳＢＯとが重ねられた様子を示す概念的な断面図（図６（ｂ））である。
【図７】比較例における図２と同趣旨の図面であり、光ディスクのボーダーゾーンに係る記録構造を示す図式的概念図である。
【図８】本発明の情報記録再生装置の実施例のブロック図である。
【図９】実施例における記録処理のフローチャートである。
【図１０】実施例における再生処理のフローチャートである。
【図１１】変形例における、図２と同趣旨の光ディスクの記録構造を示す図式的概念図である。
【符号の説明】
【００５９】
１００…光ディスク、１０１…リードインエリア、１０２…データゾーン、１０３…リードアウトエリア、１０４…ミドルエリア、１０５…ボーダーゾーン、１０５ａ−０…ボーダーアウト、１０５ｂ−０…ボーダーイン、１００Ｓ…透明基板、１０６…ボーダードエリア）、２０５…スーパフィシャルボーダーゾーン、２０５ａ…スーパフィシャルボーダーアウト（ＳＢＯ）、２０５ｂ…スーパフィシャルボーダーイン（ＳＢＩ）、３００…情報記録再生装置、３０６…データ入出力制御手段、３０７…操作制御手段、３１０…操作ボタン、３１１…表示パネル、３５１…スピンドルモータ、３５２…光ピックアップ、３５３…信号記録再生手段、３５４…ＣＰＵ（ドライブ制御手段）、３５５…メモリ、ＬＢ…レーザ光
【発明を実施するための最良の形態】
【００６０】
以下、本発明を実施するための最良の形態について実施例毎に順に図面に基づいて説明する。【００６１】
本発明の情報記録装置及び方法、並びにコンピュータプログラムに係る実施例を、本発明の情報記録装置及び方法における記録対象となる情報記録媒体と共に、図面を参照して説明する。【００６２】
（情報記録媒体及びその記録再生原理）
図１から図７を参照して、本発明の情報記録装置及び方法の記録対象となる情報記録媒体について、その記録再生原理と共に詳細に説明する。【００６３】
先ず図１を参照して、本発明の情報記録媒体の実施例に係る光ディスクの基本構造について説明する。ここに、図１（ａ）は、本発明の情報記録媒体の実施例に係る複数の記録領域を有する光ディスクの基本構造を示した概略平面図であり、図１（ｂ）は、該光ディスクの概略断面図と、これに対応付けられた、その半径方向における記録領域構造の図式的概念図である。【００６４】
図１（ａ）及び図１（ｂ）に示されるように、光ディスク１００は、例えば、ＤＶＤと同じく直径１２ｃｍ程度のディスク本体上の記録面に、センターホール１を中心としてリードインエリア１０１、データエリア１０２並びにリードアウトエリア１０３又はミドルエリア１０４が設けられている。そして、光ディスク１００の例えば、透明基板１００Ｓに、記録層等が積層されている。そして、この記録層の各記録領域には、例えば、センターホール１を中心にスパイラル状或いは同心円状に、例えば、グルーブトラック及びランドトラック等のトラック１０が交互に設けられている。また、このトラック１０上には、データがＥＣＣブロック１１という単位で分割されて記録される。ＥＣＣブロック１１は、記録情報がエラー訂正可能なプリフォーマットアドレスによるデータ管理単位である。リードインエリア１０１には、ＯＰＣ（Optimum Power Calibration）処理のためのＰＣ（Power Calibration）エリアＰＣＡ及び記録管理情報が記録されているＲＭ（Recording Management）エリアＲＭＡ等が設けられていてもよいし、このようなＰＣＡ及びＲＭＡをリードインエリアのディスク内周側に配置してもよい。【００６５】
尚、本発明は、このような三つのエリアを有する光ディスクには特に限定されない。例えば、リードインエリア１０１、リードアウトエリア１０３又はミドルエリア１０４が存在せずとも、以下に説明するデータ構造等の構築は可能である。また、後述するように、リードインエリア１０１、リードアウト１０３又はミドルエリア１０４は更に細分化された構成であってもよい。【００６６】
特に、本実施例に係る光ディスク１００は、図１（ｂ）に示されるように、例えば、透明基板１００Ｓに、後述される本発明に係る第１及び第２記録層の一例を構成するＬ０層及びＬ１層が積層された構造をしている。このような２層型の光ディスク１００の記録再生時には、図１（ｂ）中、下側から上側に向かって照射されるレーザ光ＬＢの集光位置をいずれの記録層に合わせるかに応じて、Ｌ０層における記録再生が行なわれるか又はＬ１層における記録再生が行われる。また、本実施例に係る光ディスク１００は、２層片面、即ち、デュアルレイヤに限定されるものではなく、２層両面、即ちデュアルレイヤーダブルサイドであってもよい。更に、上述の如く２層の記録層を有する光ディスクに限られることなく、３層以上の多層型の光ディスクであってもよい。尚、２層型の光ディスクにおいてゾーン内オポジット方式で記録を行う本実施例に独自の記録再生手順及び各層におけるデータ構造については、後述される。【００６７】
次に、図２から図７を参照して、図１のような構造の光ディスクを対象とする、本発明の情報記録装置及び方法の記録再生原理について説明する。ここに、図２は、本実施例に係るボーダーゾーン構造を適用した場合における、光ディスクの記録構造を示す図式的概念図であり、図３は、その書き込み手順の一例を示す図式的概念図である。【００６８】
図２に示すように、本実施例の光ディスク１００では、一連のコンテンツや一つのファイルなど、本発明に係る一つの「記録情報」の一例である一つのユーザデータ（User Data）は、ゾーン内オポジット方式でユーザデータエリア１０２（図１参照）内に記録されることで、一対のユーザデータ１０２−Ｌ０及び１０２−Ｌ１の形で、一つのボーダードエリア１０６内に記録されている。ボーダードエリア１０６は夫々、ユーザデータがゾーン内オポジット方式で記録されることで、Ｌ０層及びＬ１層の両層に跨っており、Ｌ０層ではボーダーゾーン１０５により区切られており、Ｌ１層では、スーパフィシャルボーダーゾーン２０５により区切られている。【００６９】
より具体的には、ボーダードエリア１０６（Ｎｏ．１）内では、一つのユーザデータの前半部たるユーザデータ１０２−Ｌ０が、先ずＬ０層に、光ディスク１００の内周側から外周側に向けて記録され、続いて、層間ジャンプを経て且つ記録方向を反転させて、該一つのユーザデータの後半部たるユーザデータ１０２−Ｌ１が、Ｌ１層に光ディスク１００の外周側から内周側に向けて記録されている。ボーダードエリア１０６（Ｎｏ．２）内では、その後における例えば別の機会に、ボーダードエリア１０６（Ｎｏ．１）内におけると同様に、ユーザデータがその前半部と後半部とで、ゾーン内オポジット方式によりＬ０層とＬ１層とに分けられる形で記録されている。【００７０】
Ｌ０層を区切るボーダーゾーン１０５は、ＢＯ（ボーダーアウト）及びＢＩ（ボーダーイン）を有する。Ｌ１層を区切るスーパフィシャルボーダーゾーン２０５は、ＳＢＯ（スーパフィシャルボーダーアウト）及びＳＢＩ（スーパフィシャルボーダーイン）を有する。これらの詳細な具体例については、後に詳述する（図４から図６参照）。【００７１】
本実施例では、ＢＯ及びＢＩは、本発明に係る「第１境界情報」の一例であり、これらのうち、ＢＯは、本発明に係る「第１終了境界情報」の一例であり、ＢＩは、本発明に係る「第１開始境界情報」の一例である。また、ＳＢＯ及びＳＢＩは、本発明に係る「第２境界情報」の一例であり、これらのうち、ＳＢＯは、本発明に係る「第２終了境界情報」の一例であり、ＳＢＩは、本発明に係る「第２開始境界情報」の一例である。【００７２】
本実施例では特に、Ｌ０層におけるボーダーゾーン１０５と同一半径位置或いは同一半径領域に、Ｌ１層におけるスーパフィシャルボーダーゾーン２０５が配置されている。より詳細には、Ｌ０層におけるＢＯと同一半径位置或いは同一半径領域に、Ｌ１層におけるＳＢＩが配置されており、Ｌ０層におけるＢＩと同一半径位置或いは同一半径領域に、Ｌ１層におけるＳＢＯが配置されている。【００７３】
尚、最内周寄りのボーダードエリア１０６（即ち、図２におけるボーダードエリア１０６（Ｎｏ．１））では、ＢＩの一種として、ＥＢＩ（エクストラＢＩ）が、Ｌ０層におけるリードインエリア（ＬＩ）１０１内に配置されており、ＳＢＯの一種として、ＥＳＢＯ（エクストラＳＢＯ）が、Ｌ１層におけるリードインアウト（ＬＯ）１０３内に配置されている。このため、ユーザデータエリア１０２（図１参照）の最内周付近に、ＢＩ及びＳＢＯ専用のエリアを設けないで済む。【００７４】
図２に示したデータ構造を有する光ディスク１００の書き込みは、例えば、ゾーン内オポジット方式により図３に示したような手順で行われる。【００７５】
図３において丸数字「１」から丸数字「６」（以下、「丸１」、又は「丸６」等と省略する）の順番に且つ図中矢印で詳細な順番或いは記録方向を示すように、先ず、ボーダードエリア１０６（Ｎｏ．１）に対するユーザデータの記録手順として、「丸１」ユーザデータが、ユーザデータ１０２−Ｌ０からユーザデータ１０２−Ｌ１の順番で書き込まれる。即ち、ユーザデータの、Ｌ０層への外周側に向けての書き込みから、層間ジャンプを経て、Ｌ１層への内周側に向けての書き込みが行われる。次に、「丸２」再び層間ジャンプを経て、Ｌ０層にＥＢＩが書き込まれ、再び層間ジャンプを経てＬ１層にＥＳＢＯが書き込まれる。尚、これらＥＳＢＯ又はＥＢＩの書き込みは、実際には、ＬＯ又はＬＩ内に、ＥＳＢＯ又はＥＢＩ用の領域を確保する或いは割り当てることで行われてもよい。次に、「丸３」再び層間ジャンプを経ると共に書込位置の外周側への移動が行われて、Ｌ０層にＢＯが書き込まれ、再び層間ジャンプを経て、Ｌ１層にＳＢＩが書き込まれる。尚、このＳＢＩの書き込みは、実際には、ＬＩ内に、ＳＢＩ用の領域を確保する或いは割り当てることで行われてもよい。この際特に、ＳＢＩは、ＢＯと同一半径位置に書き込まれる。以上「丸１」〜「丸３」の書き込み手順によって、同一の機会における、ボーダードエリア１０６（Ｎｏ．１）に対する、一つのユーザデータのゾーン内オポジット方式による書き込みが完了する。【００７６】
その後、同一の又は別の機会におけるボーダードエリア１０６（Ｎｏ．２）に対するユーザデータの記録手順として、「丸４」ボーダードエリア１０６（Ｎｏ．２）に、「丸１」と同様の要領で、Ｌ０層へのユーザデータの書き込みから層間ジャンプを経てＬ１層へのユーザデータの書き込みが行われる。次に、「丸５」再び層間ジャンプを経て、「丸２」と同様の要領で、Ｌ０層にＢＩが書き込まれ、Ｌ１層にＳＢＯが書き込まれる。次に、「丸６」再び層間ジャンプを経ると共に書込位置の外周側への移動が行われて、「丸３」と同様の要領で、Ｌ０層にＢＯが書き込まれ、Ｌ１層にＳＢＩが書き込まれる。この際、ＳＢＯは、ＢＩと同一半径位置に書き込まれ、ＳＢＩは、ＢＯと同一半径位置に書き込まれる。以上「丸４」〜「丸６」の書き込み手順によって、ボーダードエリア１０６（Ｎｏ．２）に対する、一つのユーザデータのゾーン内オポジット方式による書き込みが完了する。【００７７】
尚、本発明は、図３に示したゾーン内オポジット方式による書き込み手順に限定されるものではなく、例えば、図２及び図３において、ＢＯとＳＢＩとが重ねられており、或いは、ＢＩとＳＢＯとが重ねられていれば、本発明による効果は、相応に得られる。特に、ボーダードエリア１０６（Ｎｏ．１）の記録後であり且つボーダードエリア１０６（Ｎｏ．２）の記録前である光ディスク１００を、プレーヤ等で再生可能であるという効果は、図３に例示した如き書き込み手順によらずに得られる。【００７８】
次に、図４を参照して、図２及び図３に示したボーダーゾーン１０５の具体例における、詳細なデータ構造について説明する。ここに図４は、本実施例に係る光ディスクのＬ０層における、一つのボーダーゾーン（即ち、ＢＯ及びＢＩ）の詳細なデータ構造を示したデータ構造図である。【００７９】
図４に示されるように、ボーダーゾーン１０５の一具体例である、ボーダーゾーン１０５−０は、ボーダーアウト１０５ａ−０とボーダーイン１０５ｂ−０とを備えて構成されている。そして、ボーダーゾーン１０５−０の情報量は、例えば、幅＝約０．５ｍｍ用の場合には“２９４４”ＥＣＣブロックであり、幅＝約０．１ｍｍ用の場合には“６０８”ＥＣＣブロックである。【００８０】
ボーダーイン１０５ｂ−０には、最新の“５”ＥＣＣブロックの情報量の制御又は記録管理用データが記録されている。この制御又は記録管理用データのデータ構造は、リードインエリア内に記録されている制御又は記録管理用データのデータ構造と同じである。尚、ボーダーイン１０５ｂ−０の最後に設けられるＢＳＧＡ（Block SYNC Guard Area）は、ボーダーインの制御又は記録管理用データが未記録の場合に次に隣接する記録済みのＥＣＣブロックが再生可能であることを保証するために記録されるものである。【００８１】
ボーダーアウト１０５ａ−０は、更に、ボーダーＲＭＤエリア１０５ｄ−０、ストップブロックＳＢ、３個のネクストボーダーマーカーＮＭ及び緩衝用データを含んだ緩衝用エリアを備えて構成されている。【００８２】
ボーダーＲＭＤエリア１０５ｄ−０には、最新のＲＭＤ（Recording Management Data）等の記録管理用データが“５”ＥＣＣブロックの情報量だけコピーされて記録されている。このボーダーＲＭＤエリア１０５ｄ−０は、例えば、ＤＶＤ−Ｒのリードインエリア内のＲＭエリアを読めないＤＶＤ−ＲＯＭ再生専用ドライブに、ボーダーに記録された情報を再生するための管理情報等を提供することが可能である。【００８３】
ストップブロックＳＢは、“２”ＥＣＣブロックの情報量であり、ボーダーアウト１０５ａ−０の開始位置から相対的に３８及び３９番目に位置している。ストップブロックＳＢの領域の属性は、リードアウトエリアと同じ属性である。これは、光ピックアップにリードアウトエリアと同じ領域を認識させ、該光ピックアップの暴走を防止するためである。【００８４】
各ネクストボーダーマーカーＮＭは、“２”ＥＣＣブロックの情報量であり、このネクストボーダーマーカーＮＭによって、次のボーダーが存在するか否かを判定することができる。具体的には、次のボーダーが存在せず、リードアウトエリアがまだ記録されていない場合には、最後に位置するボーダーアウトのネクストボーダーマーカーＮＭは未記録状態である。そして、ボーダークローズ処理においては、最後から二番目のボーダーアウトの各ネクストボーダーマーカーＮＭには、例えば、“００ｈ”が記録される。そして、ファイナライズ処理においては、最後のボーダーアウトの各ネクストボーダーマーカーＮＭには、例えば、“００ｈ”がパディング（Padding）され、各ネクストボーダーマーカーＮＭの領域の属性は、リードアウトエリアと同じ属性にされる。尚、ＤＶＤ−ＲＷの場合、ネクストボーダーマーカーＮＭは存在しない。【００８５】
尚、図４において、ボーダーアウト１０５ａ−０の予備エリア又はボーダーイン１０５ｂ−０の予備エリアは夫々、本発明に係る「緩衝用データ」の一例を構成するが、該予備エリアの中に、光ピックアップが内周側から外周側に又は外周側から内周側に飛び越えることを防止する飛越禁止フラグを設けてもよい。このように構成すれば、プレーヤ等又はレコーダ等による再生時や記録時に、飛越禁止フラグによって、例えば光ピックアップが、現在の再生又は記録対象であるボーダードエリアから外れる事態を、より確実に防止できる。【００８６】
次に、図５を参照して、図２及び図３に示したスーパフィシャルボーダーゾーン１０５の具体例における、詳細なデータ構造について説明する。ここに図５は、本実施例に係る光ディスクのＬ１層における、一つのスーパフィシャルボーダーゾーン（即ち、ＳＢＩ及びＳＢＯ）の詳細なデータ構造を示したデータ構造図である。【００８７】
図５に示されるように、スーパフィシャルボーダーゾーン２０５の一具体例である、スーパフィシャルボーダーゾーン２０５−１は、ＳＢＯ（スーパフィシャルボーダーアウト）２０５ａ−１とＳＢＩ（スーパフィシャルボーダーイン）２０５ｂ−１とを備えて構成されている。そして、スーパフィシャルボーダーゾーン２０５−１の情報量は、その性質上、ボーダーゾーン１０５−０（図４参照）の場合と同じく、例えば、幅＝約０．５mm用の場合には“２９４４”ＥＣＣブロックであり、幅＝約０．１mm用の場合には“６０８”ＥＣＣブロックである。尚、スーパフィシャルボーダーゾーン２０５における「スーパフィシャル（superficial）」とは、見掛けの、表面的な、表在性、或いは実体のないという意味であり、本実施例では、ボーダーゾーン１０５と常に一対をなしているので、スーパフィシャルボーダーゾーン２０５の中身自体は特に参照されないでも支障なく再生可能なことに鑑み、ボーダーゾーン１０５に重なるＬ１層のユーザデータエリア１０２（図１参照）が、ユーザデータで書き込まれること無く且つスーパフィシャルボーダーゾーン２０５として確保或いは割り当てられていれば十分であるという趣旨である。即ち、真のボーダーゾーン１０５と一対で使用される限りにおいて、スーパフィシャルボーダーゾーン２０５については、見掛け上或いは形式的なボーダーゾーンとして設けられていても足りる趣旨である。但し、再生の際に、当該スーパフィシャルボーダーゾーン２０５に書き込まれた各種制御用情報を参照することも勿論可能であるので、スーパフィシャルボーダーゾーン２０５は、常に実体が伴わないという訳ではない。【００８８】
スーパフィシャルボーダーイン２０５ｂ−１には、予備エリア（Reserved Area）中に、ＳＢＩ２０５ａ−１の開始位置から相対的に３８及び３９番目に位置２ＥＣＣブロック分のストップブロックＳＢが設けられている。このように幅広の予備エリアは、緩衝用エリアとして機能する。ストップブロックＳＢの領域の属性は、リードアウトエリアと同じ属性である。これは、光ピックアップにリードアウトエリアと同じ領域を認識させ、該光ピックアップの暴走を防止するためである。【００８９】
他方、ＳＢＯ２０５ａ−１は、６ＥＣＣブロック分の予備エリア（Reserved Area）からなり、緩衝用エリアとして機能する。ＳＢＯ２０５ａ−１とＳＢＩ２０５ｂ−１との間には、３２ｋＢのリンキングロスエリアが設けられている。【００９０】
尚、図５において、ＳＢＯ２０５ａ−１の予備エリア又はＳＢＩ２０５ｂ−１の予備エリアは夫々、本発明に係る「緩衝用データ」の一例を構成するが、該予備エリアの中に、光ピックアップが内周側から外周側に又は外周側から内周側に飛び越えることを防止する飛越禁止フラグを設けてもよい。このように構成すれば、プレーヤ等又はレコーダ等による再生時や記録時に、飛越禁止フラグによって、例えば光ピックアップが、現在の再生又は記録対象であるボーダードエリアから外れる事態を、より確実に防止できる。【００９１】
加えて、図５において、ＳＢＩ２０５ｂ−１の予備エリアには、図４に示したボーダーアウト１０５ａ−０と同様の情報内容が、即ちそのコピーが書き込まれてもよい。このように構成すれば、プレーヤ等又はレコーダ等による再生時や記録時に、第１記録層において第１開始境界情報を参照するのに代えて、第２記録層において第２終了境界情報を参照すれば、第１開始境界情報と同一の情報を、そのコピーとして取得できる。同様の観点から、図５において、ＳＢＯ２０５ａ−１の予備エリアには、図４に示したボーダーイン１０５ｂ−０と同様の情報内容が、即ちそのコピーが書き込まれてもよい。【００９２】
次に、図６を参照して、図２及び図３に示したボーダーゾーン１０５とスーパフィシャルボーダーゾーン２０５との一具体例における、ディスク面の法線方向から見て重ねられてなる構造について説明を加える。ここに図６は、ＢＯ１０５ａとＳＢＩ２０５ｂとが重ねられた様子を示す概念的な断面図（図６（ａ））及びＢＩ１０５ｂとＳＢＯ２０５ａとが重ねられた様子を示す概念的な断面図（図６（ｂ））である。【００９３】
図６（ａ）において、Ｌ１層に設けられたＳＢＩ２０５ｂは、図４に例示したボーダーイン１０５ｂ−０の場合と同じくＢＳＧＡをその内周側の端部に有し、この部分が、Ｌ０層に設けられたＢＯ１０５ａが有するリンキングロスエリア（ＬＬＡ）と同一半径位置になるように、ボーダーゾーン１０５ａとスーパフィシャルボーダーゾーン２０５ｂとは重ねられている。尚、ＢＯ１０５ａが有するＣＯＲ＃０、ＣＯＲ＃１、…は、図４に既に例示した内容と同様である。よって、ＢＯ１０５ａ及びＳＢＩ２０５ｂは、いずれも内周側から移動してきた光ピックアップが、その外周側に飛び出すのを確実に防止することが可能である。【００９４】
図６（ｂ）において、Ｌ１層に設けられたＳＢＯ２０５ａは、リンキングロスエリア（ＬＬＡ）をその外周側の端部に有し、この部分が、Ｌ０層に設けられたＢＩ１０５ｂが有するＢＳＧＡと同一半径位置になるように、ボーダーゾーン１０５ａとスーパフィシャルボーダーゾーン２０５ｂとは重ねられている。尚、ＢＩ１０５ｂが有するＵＰＩ＃０、ＵＰＩ＃１、…は、図４に既に例示した内容と同様である。よって、ＢＩ１０５ｂ及びＳＢＯ２０５ａは、いずれも外周側から移動してきた光ピックアップが、その内周側に飛び出すのを確実に防止することが可能である。【００９５】
以上のように本実施例によれば、Ｌ０層に記録されるＢＯと、Ｌ１層に記録されるＳＢＩとは、相互に重なるデータエリアにおいて夫々、一対をなす境界情報として記録される。更に、Ｌ０層に記録されるＢＩと、Ｌ１層に記録されるＳＢＯとは、相互に重なるデータエリアにおいて夫々、一対をなす境界情報として記録される。従って、相互に別の機会に追記処理が行われる場合において、それらの追記処理間に、プレーヤ等で、Ｌ０層がユーザデータで記録済みのエリアとなり且つこれに重なる領域で、Ｌ１層が未記録のエリアとなることで、ユーザデータが再生不能となる事態を避けることができる。特に、Ｌ０層が、ボーダーゾーンにて記録済みのエリアとなり且つこれに重なる領域で、Ｌ１層が未記録のエリアとなることで、ボーダーゾーンの機能が低下又は消滅してしまう事態を効果的に避けることが出来る。よって、別の機会に行われる追記処理間であっても、データエリア１０２（図１参照）に記録済みの一のユーザデータを、そのボーダードエリア内で確実に読み取ることができ、レコーダ等とプレーヤ等との間での互換性がとれることになる。更に、このようなレコーダ等とプレーヤ等との間における互換性を実現するために、ファイナライズ処理の如きも不要である。【００９６】
ここで図７を参照して、本実施例におけるこのような効果について検討を加える。ここに、図７は、比較例における図２と同趣旨の図面であり、光ディスクのボーダーゾーンに係る記録構造を示す図式的概念図である。【００９７】
図７において、比較例の光ディスクは、単層型の光ディスクで採用されているボーダーゾーンに係る構成を、オポジット方式における２層型の光ディスクに適用して記録したものである。このため、各ボーダードエリア１０６”（Ｎｏ．１）、１０６”（Ｎｏ．２）、１０６”（Ｎｏ．３）内には、ユーザデータ１０２”、ＢＯ（ボーダーアウト）及びＢＩ（ボーダーイン）が記録され、ユーザデータ１０２”の境界をなすボーダーゾーン１０５は、これらのＢＯ及びＢＩから構成されている。そして、Ｌ１層における最後のＢＯの後には、未記録エリア２１０が存在している。【００９８】
この比較例によれば、Ｌ１層に未記録エリア２１０が残っている限り、プレーヤ等で、該未記録エリア２１０と同一半径位置に広がるＬ０層における記録済みのユーザデータエリアに記録された情報を読み取ることはできない。即ち、この場合、レコーダ等とプレーヤ等との間での互換性がとれない。逆に、最後のＢＯに後続するＬ１層の未記録エリア２１０に、ダミーデータ等を書き込んで、ファイナライズ処理の如き処理を行えば、プレーヤ等では、ユーザデータを読み取ることは可能となる。しかしながら、このように一旦ファイナライズ処理等を行ってしまうと、最後のＢＯに後続するデータエリアに対して、ユーザデータを書き込むことは、もはや出来なくなってしまう。このように比較例によれば、２層型の光ディスクをオポジット方式で記録する場合には、プレーヤ等との互換性を実現するためには追記処理が不能となり、逆に追記処理を実現するためにはプレーヤ等との間で互換性がとれない。【００９９】
これに対して上述した本実施例では、Ｌ０層におけるボーダーゾーンと、Ｌ１層におけるスーパフィシャルボーダーゾーンとを一対をなすように同一半径位置に配置したので、比較例の如き不都合はなく、プレーヤ等との互換性を実現しつつ追記処理が可能となるのである。特に、２層型の光ディスクをゾーン内オポジット方式で記録する場合には、ユーザデータエリアを無駄にすることなく記録可能となる。しかも、プレーヤ等との間で互換性をとるように記録を行うために必要な処理時間も短時間で済む。【０１００】
（情報記録再生装置）
次に、図８を参照して、本発明の情報記録装置の実施例に係る情報記録再生装置３００の構成について説明する。ここに、図８は、本実施例の情報記録再生装置のブロック図である。尚、情報記録再生装置３００は、光ディスク１００に記録データを記録する機能と、光ディスク１００に記録された記録データを再生する機能とを備える。【０１０１】
図８を参照して情報記録再生装置３００の内部構成を説明する。情報記録再生装置３００は、ＣＰＵ（Central Processing Unit）の制御下で、光ディスク１００に情報を記録すると共に、光ディスク１００に記録された情報を読み取る装置である。【０１０２】
情報記録再生装置３００は、光ディスク１００、スピンドルモータ３５１、光ピックアップ３５２、信号記録再生手段３５３、ＣＰＵ（ドライブ制御手段）３５４、メモリ３５５、データ入出力制御手段３０６、操作制御手段３０７、操作ボタン３１０、表示パネル３１１、及びバス３５７を備えて構成されている。【０１０３】
特に、これらの構成要素のうち前半に記述したスピンドルモータ３５１、光ピックアップ３５２、信号記録再生手段３５３、ＣＰＵ（ドライブ制御手段）３５４及びメモリ３５５によって、ディスクドライブ（以下、適宜ドライブと称す）が構成されていてもよい。また、これらの構成要素のうち後半に記述したデータ入出力制御手段３０６、操作制御手段３０７、操作ボタン３１０及び表示パネル３１１によって、本発明に係るホストコンピュータ（以下、適宜ホストと称す）が構成されてもよい。或いは、また、ＣＰＵ（ドライブ制御手段）３５４及びバス３５７によって、本発明に係る通信手段が構成されていてもよい。【０１０４】
スピンドルモータ３５１は光ディスク１００を回転及び停止させるもので、光ディスクへのアクセス時に動作する。より詳細には、スピンドルモータ３５１は、図示しないサーボユニット等によりスピンドルサーボ制御を受けつつ所定速度で光ディスク１００を回転及び停止させるように構成されている。【０１０５】
光ピックアップ３５２は光ディスク１００への記録再生を行うもので、半導体レーザ装置とレンズから構成される。より詳細には、光ピックアップ３５２は、光ディスク１００に対してレーザービーム等の光ビームを、再生時には読み取り光として第１のパワーで照射し、記録時には書き込み光として第２のパワーで且つ変調させながら照射する。【０１０６】
信号記録再生手段３５３は、スピンドルモータ３５１と光ピックアップ３５２を制御することで光ディスク１００に対して記録再生を行う。より具体的には、信号記録再生手段３５３は、例えば、レーザダイオード（ＬＤ）ドライバ及びヘッドアンプ等によって構成されている。レーザダイオードドライバ（ＬＤドライバ）は、光ピックアップ３５２内に設けられた図示しない半導体レーザを駆動する。ヘッドアンプは、光ピックアップ３５２の出力信号、即ち、光ビームの反射光を増幅し、該増幅した信号を出力する。より詳細には、信号記録再生手段３５３は、ＯＰＣ（Optimum Power Calibration）処理時には、ＣＰＵ３５４の制御下で、図示しないタイミング生成器等と共に、ＯＰＣパターンの記録及び再生処理により最適なレーザパワーの決定が行えるように、光ピックアップ３５２内に設けられた図示しない半導体レーザを駆動する。特に、信号記録再生手段３５３は、光ピックアップ３５２と共に、本発明に係る「書込手段」の一例を構成する。【０１０７】
メモリ３５５は、記録再生データのバッファ領域や、信号記録再生手段３５３で使用出来るデータに変換する時の中間バッファとして使用される領域など情報記録再生装置３００におけるデータ処理全般及びＯＰＣ処理において使用される。また、メモリ３５５はこれらレコーダ機器としての動作を行うためのプログラム、即ちファームウェアが格納されるＲＯＭ領域と、映像データの圧縮伸張で用いるバッファやプログラム動作に必要な変数が格納されるＲＡＭ領域などから構成される。【０１０８】
ＣＰＵ３５４は、信号記録再生手段３５３、メモリ３５５と、バス３５７を介して接続され、各制御手段に指示を行うことで、情報記録再生装置３００全体の制御を行う。通常、ＣＰＵ３５４が動作するためのソフトウェア又はファームウェアは、メモリ３５５に格納されている。特に、ＣＰＵ３５４は、本発明に係る「書込制御手段」の一例及び「境界制御手段」の一例を夫々構成する。例えば、メモリ３５５に記録されたコンピュータプログラムによって、ＣＰＵ３５４は、本発明に係る「書込制御手段」の一例及び「境界制御手段」の一例として夫々機能する。【０１０９】
データ入出力制御手段３０６は、情報記録再生装置３００に対する外部からデータ入出力を制御し、メモリ３５５上のデータバッファへの格納及び取り出しを行う。データの入出力が映像信号である場合には、データ入力時には外部から受け取ったデータを例えば、ＭＰＥＧフォーマットに圧縮（エンコード）してからメモリ３５５へ出力し、データ出力時には、メモリ３５５から受け取ったＭＰＥＧフォーマット等のエンコードされたデータを伸張（デコード）してから外部へ出力する。【０１１０】
操作制御手段３０７は情報記録再生装置３００に対する動作指示受付と表示を行うもので、記録又は再生といった操作ボタン３１０による指示をＣＰＵ３５４に伝え、記録中や再生中といった情報記録再生装置３００の動作状態を蛍光管などの表示パネル３１１に出力する。特に、本実施例では、操作制御手段３０７は、本発明に係るホストコンピュータとして、図示しないＣＰＵ及びメモリ等によって構成されていてもよい。【０１１１】
以上説明した、情報記録再生装置３００の一具体例は、映像を記録再生するレコーダ機器等の家庭用機器である。このレコーダ機器は放送受信チューナや外部接続端子からの映像信号をディスクに記録し、テレビなど外部表示機器にディスクから再生した映像信号を出力する機器である。メモリ３５５に格納されたプログラムをＣＰＵ３５４で実行させることでレコーダ機器としての動作を行っている。【０１１２】
（情報記録再生装置における記録動作）
次に、上述の情報記録再生装置における記録動作について、図８と共に図９を参照して説明する。ここに図９は、本実施例における記録処理のフローチャートである。【０１１３】
図９において、先ず光ディスク１００がローディングされる（ステップＳ１１）。すると、ＣＰＵ３５４の制御下で、光ピックアップ３５２によりシーク動作が行われる。そして、光ディスク１００への記録処理に必要な各種管理情報が取得されると同時に、光ディスク１００を例えばＤＶＤ−Ｒ／ＲＷとしてユーザデータ等の追記を行うことの確認を経て、光ディスク１００への追記を開始する。即ちここでは、図３を参照して説明した如きゾーン内オポジット方式による一つのユーザデータの書き込みが行われる（ステップＳ１２）。このようなユーザデータの書き込み中には、Ｌ０層に対して該一つのユーザデータの前半部の書き込みが終了すると、層間ジャンプを経て、Ｌ１層に対して該一つのユーザデータの後半部の書き込みが行われる。尚、一つのユーザデータとは、予め一つのボーダードエリア内に記録すべきものとして予定された情報量を有する、一まとまりのユーザデータであり、例えば一つのテレビ番組が相当する。但し、例えば予定変更によって、書き込み開始後に或いは記録方向の反転後に、一つのボーダードエリア内に記録できないこととなった場合には、次のボーダードエリアを設定して、書き込みを継続すればよいので、特に支障はない。そして、このような書き込みの間中、Ｌ１層に対する該一つのユーザデータの後半部の、即ち予定された該一つのユーザデータの全体についての、書き込みが終了するか否かがモニタされる（ステップＳ１３）。【０１１４】
ここで、書き込みが終了すると（ステップＳ１３：Ｙｅｓ）、エクストラボーダーイン（ＥＢＩ）又はボーダーイン（ＢＩ）の書き込み等が行われる（ステップＳ１４）。具体的には、光ディスク１００において最初に記録される、即ち一番目のユーザデータであれば、エクストラボーダーイン（ＥＢＩ）の書き込みが、リードインエリア内で行われると共に、エクストラスーパフィシャルボーダーアウトについては、このエクストラボーダーイン（ＥＢＩ）に重なる領域として、リードアウトエリア内に確保される。他方、２番目以降のユーザデータであれば、ボーダーイン（ＢＩ）の書き込みが、Ｌ０層におけるデータエリア内で行われると共に、これに重なる領域にてＬ１層におけるデータエリア内で、スーパフィシャルボーダーアウト（ＳＢＯ）の書き込みが行われる。【０１１５】
続いて、ボーダーアウト（ＢＯ）及びスーパフィシャルボーダーイン（ＳＢＩ）の書き込みが行われ（ステップＳ１５）、一連の記録処理が終了する。【０１１６】
以上のように記録処理が行われると、図１から図６を参照して説明した如き、ゾーン内オポジット方式で記録された２層型の光ディスクであって且つＬ０層におけるボーダーゾーンとＬ１層におけるスーパフィシャルボーダーゾーンとが同一半径位置に記録された光ディスクが構築される。しかも、当該記録処理自体は、ゾーン内オポジット方式の採用により、一連の書込動作で効率的に行うことが可能となる。【０１１７】
（情報記録再生装置における再生動作）
次に、上述の情報記録再生装置における再生動作について、図８と共に図１０を参照して説明する。ここに図１０は、本実施例における再生処理のフローチャートである。【０１１８】
尚、ここでは、レコーダ等に属する情報記録再生装置における再生動作について説明するが、プレーヤ等における再生動作についても全く同様である。即ち、プレーヤ等においても、データエリア内において、図９の記録処理により記録済みとされたボーダードエリア外に未記録のエリアが残っていても、即ちファイナライズ処理が行われていなくても、プレーヤ等で問題なく再生できる。【０１１９】
図１０において、先ず光ディスク１００がローディングされる（ステップＳ２１）。すると、ＣＰＵ３５４の制御下で、光ピックアップ３５２によりシーク動作が行われる。そして、光ディスク１００の再生処理に必要な各種管理情報が取得される。本実施例では特に、エクストラボーダーイン（ＥＢＩ）又はボーダーイン（ＢＩ）の読み込み等が行われる。具体的には、光ディスク１００において最初に記録された、即ち一番目のユーザデータを読み出す場合には、エクストラボーダーイン（ＥＢＩ）の読み込みが、リードインエリア内で行われる。他方、２番目以降のユーザデータを読み出すのであれば、対応するボーダーイン（ＢＩ）の読み込みが、Ｌ０層におけるデータエリア内で行われる（ステップＳ２２）。【０１２０】
この結果、ここでは図３を参照して説明した如きゾーン内オポジット方式により記録済みの一つのユーザデータの読み出しが行われる（ステップＳ２３）。このような読み出し中には、Ｌ０層における該一つのユーザデータの前半部の読み出しが終了すると、層間ジャンプを経て、Ｌ１層における該一つのユーザデータの後半部の読み出しが行われる。そして、このような読み出しの間中、Ｌ１層における該一つのユーザデータの後半部の、即ち予定された該一つのユーザデータの全体についての、読み出しが終了するか否かがモニタされる（ステップＳ２４）。【０１２１】
ここで、読み出しが終了すると（ステップＳ２４：Ｙｅｓ）、一連の再生処理が終了する。【０１２２】
以上のように再生処理によって、図１から図６を参照して説明した如き、ゾーン内オポジット方式で記録された２層型の光ディスクであって且つＬ０層におけるボーダーゾーンとＬ１層におけるスーパフィシャルボーダーゾーンとが同一半径位置に記録された光ディスクの再生が、問題なく行われる。この際特に、再生装置が、記録処理をも実行したレコーダ等でないプレーヤ等であっても、同様にして図１０の如き再生処理を行うことができる。即ち、図８に示した如きレコーダ等とプレーヤ等との間における互換性が構築されることとなるので、大変便利である。【０１２３】
（情報記録媒体の変形例）
次に、上述した情報記録媒体に係る実施例の変形例について図１１を参照して説明する。ここに図１１は、本変形例における、図２と同趣旨の光ディスクの記録構造を示す図式的概念図である。【０１２４】
上述した実施例に係る２層型の光ディスク１００では、図２に示したように、各ボーダードエリア１０６（ＮＯ．１）、１０６（Ｎｏ．２）、…は、記録することが予定されたユーザデータにより埋め尽くされている。これは、記録前又は記録中における初期段階に予め、記録すべきひとつのユーザデータの情報量から逆算して、ボーダーゾーンの位置を決めてから、記録を開始するか又は進めるためである。このように記録すれば、各ボーダードエリア１０６（ＮＯ．１）、１０６（Ｎｏ．２）、…において、Ｌ０層における記録済みデータエリア１０２に重なるＬ１層のデータエリア１０２は、未記録エリアであることはないので、好都合である。しかしながら、記録開始後における予定変更などにより、記録すべきユーザデータの情報量が変化する場合もあり得る。【０１２５】
そこで図１１に示したように、上述した実施例の変形例では、何らかの理由で各ボーダードエリア１０６（ＮＯ．１）、１０６（Ｎｏ．２）、…において、ハッチングで示したように、未記録エリア１０２Ｄが発生した場合には、これをダミーデータで埋めるようにする。【０１２６】
このようにすれば、データエリア１０２は、ダミーデータで未記録エリア１０２Ｄを埋めた分だけ、その記録容量の無駄使いにはなるものの、プレーヤ等でも当該ダミーデータで埋められた部分を含む光ディスク１００を、図１０に示したと同様の再生処理によって問題なく再生できる。即ち、互換性を確保できる。そして、ファイナライズ処理のように光ディスクの全体をダミーデータで埋める如き処理を行い、少なくとも二度と追記が不可能な状態にしてしまうのと比べると、本変形例では、ボーダードエリアの単位でダミーデータで埋めるに止まるので、無駄にするデータエリア１０２のサイズは、遥かに軽微である。しかも、ダミーデータで埋めた処理を行った後にも、次のボーダードエリアにおいては、追記処理が可能となるので、格段に有利である。【０１２７】
尚、図１１から分かるように、未記録エリア１０２Ｄをダミーデータで埋める処理は、概ねＬ１層の途中から又はＬ１層の全部が対象となるが、Ｌ０層の途中からが対象となってもかまわない。何れにせよ予定外に短縮された記録処理を行う場合に、光ディスク１００の記録容量を極力無駄にしないで済むので、大変有利である。【０１２８】
尚、本実施例では、情報記録装置の一具体例として、例えば、２層型のＤＶＤ−Ｒ等の追記型の光ディスクの情報記録再生装置について説明したが、本発明は、例えば、２層型のＤＶＤ−ＲＷ等の書き換え型の光ディスクの情報記録再生装置に適用可能である。加えて、例えば、３層型等のマルチプルレイヤ型の光ディスクの情報記録再生装置にも適用可能である。更に、ブルーレーザーを記録再生に用いるディスク等の大容量記録媒体の情報記録再生装置にも適用可能である。【０１２９】
以上詳細に説明したように本実施例によれば、２層型や多層型の光ディスクにおける各記録層において、プレーヤ等との間で互換性をとりつつ記録領域を無駄にすることなく記録可能となる。【０１３０】
本発明は、上述した実施例に限られるものではなく、請求の範囲及び明細書全体から読み取れる発明の要旨或いは思想に反しない範囲で適宜変更可能であり、そのような変更を伴う情報記録装置及び方法、並びにコンピュータプログラムもまた本発明の技術的範囲に含まれるものである。
【産業上の利用可能性】
【０１３１】
本発明に係る情報記録装置及び方法、コンピュータプログラムは、例えば、ＤＶＤレコーダ等の情報記録装置に利用可能である。また、例えば民生用或いは業務用の各種コンピュータ機器に搭載される又は各種コンピュータ機器に接続可能な情報記録装置等にも利用可能である。
【図１】
0004043504.tif 000002
【図２】
0004043504.tif 000003
【図３】
0004043504.tif 000004
【図４】
0004043504.tif 000005
【図５】
0004043504.tif 000006
【図６】
0004043504.tif 000007
【図７】
0004043504.tif 000008
【図８】
0004043504.tif 000009
【図９】
0004043504.tif 000010
【図１０】
0004043504.tif 000011
【図１１】
0004043504.tif 000012